(57)【要約】【課題】カム筒の強度を低下させることなくカムピンを着脱可能にする。【解決手段】レンズ鏡筒であって、第一光学部材の径方向に突出した、着脱可能な第一カムピンを有し、第一光学部材を保持しつつ第一光学部材の光軸と平行な方向に移動する第一保持部材と、第一カムピンに係合して、撮影中に第一保持部材を第一光学部材の光軸の方向に駆動する第一カム溝、および、第一カム溝の一端から延長して配された延長溝を有する駆動筒とを備え、延長溝に形成され、第一カムピンを第一保持部材に着脱する場合に第一カムピンを径方向に通過させる第一保守穴を有する。【選択図】図４
2014085476.tif 000002
【特許請求の範囲】
【請求項１】
第一光学部材の径方向に突出した、着脱可能な第一カムピンを有し、前記第一光学部材を保持しつつ前記第一光学部材の光軸と平行な方向に移動する第一保持部材と、
前記第一カムピンに係合して、撮影中に前記第一保持部材を前記第一光学部材の光軸の方向に駆動する第一カム溝、および、前記第一カム溝の一端から延長して配された延長溝を有する駆動筒と
を備え、
前記延長溝に形成され、前記第一カムピンを前記第一保持部材に着脱する場合に前記第一カムピンを前記駆動筒の径方向に通過させる第一保守穴を有するレンズ鏡筒。
【請求項２】
前記第一カムピンが前記第一保守穴の位置にある場合、前記レンズ鏡筒は沈胴状態になりつつある請求項１に記載のレンズ鏡筒。
【請求項３】
前記第一保持部材は、前記径方向に突出する、前記第一カムピンと異なる第二カムピンを有し、
前記駆動筒は、前記第二カムピンに係合する前記第一カム溝と異なる第二カム溝と、前記第一カムピンが前記第一保守穴と異なる位置にある状態に対応した前記第二カムピンの位置に、前記第二カム溝の一部として形成され、前記第二カムピンを前記第一保持部材に着脱する場合に通過させる第二保守穴を有する
請求項１または請求項２に記載のレンズ鏡筒。
【請求項４】
前記第一光学部材と異なる第二光学部材と、
前記第二光学部材の径方向に突出する第三カムピンを有し、前記第二光学部材を保持しつつ前記光軸と平行な方向に移動する第二保持部材と
を更に備え、
前記駆動筒は、前記第三カムピンに係合して前記第二保持部材を前記光軸の方向に駆動する第三カム溝、および、前記第三カム溝の一部として形成されて前記第三カムピンを前記第二保持部材に着脱する場合に通過させる第三保守穴を有し、
前記第三保守穴は、前記第一カムピンが前記第一保守穴の位置に在る状態に対応した前記第三カムピンの位置に配される
請求項１から請求項３までのいずれか一項に記載のレンズ鏡筒。
【請求項５】
請求項１から請求項４までのいずれか一項に記載のレンズ鏡筒を備えた撮像装置。
【発明の詳細な説明】
【技術分野】
【０００１】
本発明は、レンズ鏡筒および撮像装置に関する。
【背景技術】
【０００２】
カム筒のカム溝に、カムピンを組み込む場合に通過させる組み込み領域を設けたレンズ鏡筒がある（特許文献１参照）。
［特許文献１］  特開２０１０−２７１５２４号公報
【発明の概要】
【発明が解決しようとする課題】
【０００３】
組み込み領域はカムピンの駆動に寄与しないので、小さな回転角度でカムピンを駆動しなければならない。
【課題を解決するための手段】
【０００４】
本発明の第一態様においては、第一光学部材の径方向に突出した、着脱可能な第一カムピンを有し、第一光学部材を保持しつつ第一光学部材の光軸と平行な方向に移動する第一保持部材と、第一カムピンに係合して、撮影中に第一保持部材を第一光学部材の光軸の方向に駆動する第一カム溝、および、第一カム溝の一端から延長して配された延長溝を有する駆動筒とを備え、延長溝に形成され、第一カムピンを第一保持部材に着脱する場合に第一カムピンを径方向に通過させる第一保守穴を有するレンズ鏡筒が提供される。
【０００５】
本発明の第二態様においては、上記レンズ鏡筒を備える撮像装置が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】レンズユニット２００の模式的断面図である。
【図３】レンズユニット２００の部分的断面図である。
【図４】カム筒２０５の展開図である。
【図５】カム筒２０５の部分的展開図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、一眼レフカメラ１００の模式的断面図である。一眼レフカメラ１００は、レンズユニット２００およびカメラボディ３００を含む。
【００１０】
なお、記載を簡潔にする目的で、下記の説明においては、カメラボディ３００に装着されたレンズユニット２００に対して物体側を、一眼レフカメラ１００の前側または先側と記載する。また、レンズユニット２００に対して物体から遠い側を、一眼レフカメラ１００における後側または背面側と記載する。
【００１１】
レンズユニット２００は、光軸Ｘに沿って配置された第一レンズ群２１０、第二レンズ群２２０、第三レンズ群２３０および第四レンズ群２４０を含む光学系を有する。第一レンズ群２１０、第二レンズ群２２０、第三レンズ群２３０および第四レンズ群２４０は、それぞれ個別のレンズ保持枠２１２、２２２、２３２、２４２に個別に保持される。
【００１２】
図示のレンズユニット２００は、第一レンズ群２１０、第二レンズ群２２０、第三レンズ群２３０および第四レンズ群２４０が相互に接近した沈胴状態にある。これにより、レンズユニット２００の光軸Ｘ方向の長さが短縮されて携帯性は向上するが、光学装置としての機能は利用できない状態にある。
【００１３】
レンズユニット２００は、固定筒２０１、ズーム環２０２、直進筒２０３、先筒２０４、カム筒２０５、案内筒２０６、第一移動枠２０７および第二移動枠２０９を含む鏡筒を有する。固定筒２０１は、後端にレンズ側マウント部２０８を有する。レンズ側マウント部２０８をカメラボディ３００前面のボディ側マウント部３６０と結合させることにより、固定筒２０１は、カメラボディ３００に対して結合される。
【００１４】
レンズ側マウント部２０８およびボディ側マウント部３６０の結合は解除できる。よって、カメラボディ３００は、規格に適合するレンズ側マウント部２０８を有する他のレンズユニット２００と組み合わせても使用できる。
【００１５】
ズーム環２０２は、固定筒２０１の外周面に配され、ユーザの操作により、光学系の光軸Ｘを回転軸として回転する。ズーム環２０２は、内面に形成されたカム溝、直溝等により、直進筒２０３およびカム筒２０５に係合する。直進筒２０３は、固定筒２０１に対して光軸Ｘ方向に移動する。また、カム筒２０５は、ズーム環２０２と共に回転しつつ、直進筒２０３に連れ従って光軸Ｘ方向に移動する。
【００１６】
なお、カム筒２０５の内側に位置する案内筒２０６は、固定筒２０１に結合されて固定筒２０１に対して移動しない。よって、カム筒２０５は、案内筒２０６に対しても光軸Ｘ方向に移動する。
【００１７】
先筒２０４は、直進筒２０３およびカム筒２０５にそれぞれ係合して支持される。これにより、先筒２０４は、直進筒２０３およびカム筒２０５の固定筒２０１に対する移動に連れ従って光軸Ｘ方向に移動する。
【００１８】
更に、先筒２０４は、回転することなく光軸Ｘ方向に移動する直進筒２０３と、回転しつつ光軸Ｘ方向に移動するカム筒２０５との間で駆動されて、直進筒２０３およびカム筒２０５に対しても移動する。先筒２０４は、第一レンズ群２１０を保持するレンズ保持枠２１２を先端に支持しているので、先筒２０４の移動に伴って第一レンズ群２１０も移動する。
【００１９】
第一移動枠２０７および第二移動枠２０９は、カム筒２０５に形成されたカム溝に係合するカムピン２８３、２８４をそれぞれ有して、カム筒２０５の回転に伴って固定筒２０１に対して光軸Ｘ方向に個別に移動する。これにより、第一移動枠２０７は、第二レンズ群２２０を保持したレンズ保持枠２２２を光軸光方向移動させる。また、第二移動枠２０９は、第四レンズ群２４０を保持するレンズ保持枠２４２に連結され、第四レンズ群２４０を光軸Ｘ方向移動させる。
【００２０】
更に、第三レンズ群２３０を保持するレンズ保持枠２３２は、第四レンズ群２４０を保持するレンズ保持枠２４２に対して固定された送りねじ組立体２７０により駆動されて、レンズ保持枠２４２に対して更に移動可能に支持される。送りねじ組立体２７０は、ステッピングモータ２７２、送りねじ２７４およびフレーム２７６を有する。
【００２１】
フレーム２７６は、ステッピングモータ２７２および送りねじ２７４を一体的に支持し、レンズ保持枠２４２に対して固定される。ステッピングモータ２７２は、送りねじ２７４を回転駆動する。送りねじ２７４は、ラック部材２７８を介してレンズ保持枠２３２と係合する。
【００２２】
これにより、レンズ保持枠２３２に保持された第三レンズ群２３０を移動させることができる。第三レンズ群２３０が移動した場合、レンズユニット２００の光学系の焦点位置が変化する。よって、カメラボディ３００側からの信号に基づいてステッピングモータ２７２を電気的に制御することにより、レンズユニット２００を合焦させることができる。
【００２３】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２４】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２５】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２６】
ミラーユニット３７０は、メインミラー３７１およびサブミラー３７４を含む。メインミラー３７１は、メインミラー回動軸３７３により軸支されたメインミラー保持部３７２に支持される。
【００２７】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２８】
メインミラー保持部３７２の前端が降下した場合、メインミラー３７１は、レンズユニット２００から入射した入射光束上に斜めに位置する。メインミラー保持部３７２が上昇した場合、メインミラー３７１は、入射光束を避けた位置に退避する。
【００２９】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００３０】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３１】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３２】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００３３】
上記のようなレンズユニット２００およびカメラボディ３００を備える一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。
【００３４】
図２は、レンズユニット２００の他の状態を示す部分的な断面図であり、光軸Ｘに対して図中上側に、広角側に変倍されたレンズユニット２００の断面を示す。また、図２において、光軸Ｘに対して図中下側には、望遠側に変倍されたレンズユニット２００の断面を示す。
【００３５】
なお、図２において、図１と共通の要素には同じ参照番号を付して重複する説明を省く。ただし、図２は、光軸Ｘを含む断面である点で図１と共通するものの、図１とは異なる断面が示されており、図１と共通の要素であっても、図１とは異なる形状で現れている場合がある。
【００３６】
レンズユニット２００において、直進筒２０３は、リード部２８１においてズーム環２０２と係合する。直進筒２０３は、固定筒２０１に対する回転が抑制されているので、ズーム環２０２が回転操作された場合、光軸Ｘ方向に移動する駆動力をズーム環２０２から受ける。
【００３７】
カム筒２０５は、それ自体の後端付近に配されたバヨネット爪２８６により、直進筒２０３の後端付近に係合する。バヨネット爪２８６は、直進筒２０３の内面に周方向に延在するバヨネット溝に係合するので、カム筒２０５は、光軸Ｘの周りに回転できる。しかしながら、直進筒２０３が光軸Ｘ方向に移動した場合は、直進筒２０３に連れ従って、カム筒２０５も光軸方向に移動する。換言しれば、カム筒２０５と直進筒２０３とは、光軸Ｘ方向に限って係合されている。
【００３８】
また、カム筒２０５は、それ自体の外周面に固定された連結ピン２８５を通じて、ズーム環２０２の内面に光軸Ｘと平行に設けられた溝に係合する。これにより、ズーム環２０２が回転操作された場合、カム筒２０５も回転する。
【００３９】
既に説明した通り、ズーム環２０２が回転操作された場合、直進筒２０３は光軸Ｘ方向に移動し、カム筒２０５も直進筒２０３に連れ従って移動する。よって、ズーム環２０２が回転操作された場合、カム筒２０５は、光軸Ｘの周りに回転しつつ、光軸Ｘ方向に移動する。
【００４０】
案内筒２０６は、カム筒２０５の内側に位置して、固定筒２０１に結合されて固定される。よって、ズーム環２０２が回転操作された場合、直進筒２０３およびカム筒２０５は、案内筒２０６に対しても移動することになる。案内筒２０６は、光軸Ｘの方向についてレンズユニット２００の前端側に向かって延在するので、カム筒２０５を内面側から支持すると共に、直進筒２０３の後端に設けられたキー２８７と係合する直進溝２８８により、直進筒２０３の回転を抑制する。
【００４１】
先筒２０４は、先端に第一レンズ群２１０のレンズ保持枠２１２を支持する。また、先筒２０４は、カムピン２８２等により直進筒２０３およびカム筒２０５に係合して双方から支持される。よって、直進筒２０３およびカム筒２０５が光軸Ｘ方向に移動する場合は、先筒２０４も連れ従って光軸Ｘ方向に移動する。
【００４２】
更に、ズーム環２０２が回転操作された場合、先筒２０４は、回転することなく光軸Ｘ方向に移動する直進筒２０３と、回転しつつ光軸Ｘ方向に移動するカム筒２０５との間で駆動されて、直進筒２０３およびカム筒２０５に対しても光軸Ｘ方向に移動する。これにより、先筒２０４の先端に保持された第一レンズ群２１０は、固定筒２０１から前方に大きく繰り出される。
【００４３】
このように、ズーム環２０２が回転操作された場合、第一レンズ群２１０、第二レンズ群２２０、第三レンズ群２３０および第四レンズ群２４０が、固定筒２０１に対してそれぞれ個別に移動する。これにより、ズーム環２０２の回転量に応じて、レンズユニット２００に形成された光学系の倍率が変化する。また、レンズユニット２００の変倍の範囲を超えてズーム環２０２が回転操作された場合、レンズユニット２００は沈胴状態になる。
【００４４】
図３は、他のレンズユニット２００の部分的な拡大図である。このレンズユニット２００も、上記のレンズユニット２００と同様に、それぞれが個別に移動する第一移動枠２０７および第二移動枠２０９を備える。図１および図２と共通の機能を有する要素には同じ参照番号を付して重複する説明を省く。
【００４５】
このレンズユニット２００において、第一移動枠２０７は、第四レンズ群２４０を保持するレンズ保持枠２４２と、第五レンズ群２５０を保持するレンズ保持枠２５２とを共に支持して一体的に結合する。また、第一移動枠２０７は、カムピン２８３において、カム筒２０５に形成されたカム溝２９３に係合する。カム筒２０５は、既に説明した通り、ズーム環２０２により回転駆動される。また、第一移動枠２０７は、固定筒２０１に対する回転が規制されている。よって、レンズユニット２００においてズーム環２０２が回転操作された場合、第一移動枠２０７は、レンズ保持枠２４２、２５２を、レンズユニット２００の光軸Ｘ方向に一体的に移動させる。
【００４６】
第二移動枠２０９は、第六レンズ群２６０を保持するレンズ保持枠２６２を保持する。また、第二移動枠２０９は、カムピン２８４において、カム筒２０５に形成されたカム溝２９４に係合する。更に、第二移動枠２０９は、固定筒２０１に対する回転を規制されている。よって、ズーム環２０２の操作によりカム筒２０５が回転した場合、第二移動枠２０９は、レンズ保持枠２６２をレンズユニット２００の光軸Ｘ方向に移動させる。
【００４７】
図４は、カム筒２０５の展開図であり、カム筒２０５の内面に形成されたカム溝２９３、２９４の形状を、カム筒２０５の外側から示す。図中上側は、レンズユニット２００の先端側に相当する。
【００４８】
カム筒２０５においては、カム筒２０５の端部に至ることなく閉じたカムプロファイルを有する３本のカム溝２９３が、第一移動枠２０７のカムピン２８３に係合する。３本のカム溝２９３は互いに同じカムプロファイルを有し、カム筒２０５の周方向についてずれた位置に配される。
【００４９】
同様に、カム筒２０５においては、カム筒２０５の端部に至ることなく閉じたカムプロファイルを有する３本のカム溝２９４が、第二移動枠２０９のカムピン２８４に係合する。３本のカム溝２９４は互いに同じカムプロファイルを有し、カム筒２０５の周方向についてずれた位置に配される。
【００５０】
なお、第一移動枠２０７および第二移動枠２０９も、３本のカム溝２９３、２９４に対応して、周方向に配された３本のカムピン２８３、２８４を有する。これにより、第一移動枠２０７および第二移動枠２０９は、周上の複数箇所で同時に駆動されて、光軸Ｘに対して傾くことなく円滑に駆動される。
【００５１】
カム筒２０５において、カム溝２９３、２９４は、それぞれが保守穴２９９を有する。保守穴２９９の各々は、カム溝２９３、２９４に係合するカムピン２８３、２８４を、保持工具により保持した状態で挿通できる大きさを有する。
【００５２】
これにより、第一移動枠２０７および第二移動枠２０９とカム筒２０５とを含むレンズユニット２００を組み立てる場合に、カム筒２０５の内側に挿入された第一移動枠２０７および第二移動枠２０９に対して、保守穴２９９を通じてカムピン２８３、２８４を組み付けることができる。よって、カム溝２９３、２９４には、カムピン２８３、２８４を組み込む目的でカム筒２０５の端部に開口を設けなくてもよい。
【００５３】
ところで、カム溝２９３、２９４のカム面は、カム筒２０５の径方向内側に行くにつれて幅が広くなる傾斜を有する。このような傾斜は、カム筒２０５を成形する過程で金型を抜くために不可避に形成される。
【００５４】
よって、カム溝２９３、２９４に係合するカムピン２８３、２８４は、カム溝２９３、２９４のカム面の傾斜と相補的に傾斜した周面を有し、高さ方向について径が漸増または漸減する形状を有する。このため、保守穴２９９の各々は、カムピン２８３、２８４の最大径よりも大きく、保守穴２９９が設けられた位置においては、カム溝２９３、２９４によるカムピン２８３、２８４を位置決めが不安定になる。
【００５５】
ここで、第一移動枠２０７のカムピン２８３に係合する３本のカム溝２９３に着目すると、カム溝の各々におけるカムピン２８３の移動範囲の図中左端の位置Ｅ１、Ｅ２、Ｅ３から、保守穴２９９に挿入する場合のカムピン２８３の位置Ｉ１、Ｉ２、Ｉ３までの距離Ｐ１、Ｐ２、Ｐ３が、カム溝２９３毎に異なっている。同様に、第二移動枠２０９のカムピン２８４に係合する３本のカム溝２９４においても、カムピン２８４の移動範囲の図中左端の位置Ｅ１、Ｅ２、Ｅ３から、保守穴２９９に挿入する場合のカムピン２８４の位置Ｉ１、Ｉ２、Ｉ３までの距離Ｐ１、Ｐ２、Ｐ３は、カム溝２９４毎に異なる。
【００５６】
これにより、個々のカム溝２９３、２９４において、保守穴２９９の位置Ｉ１、Ｉ２、Ｉ３においてカムピン２８３、２８４の位置決め精度が低下するとしても、３本一組のカム溝２９３、２９４において、カムピン２８３、２８４が同時に保守穴２９９の位置Ｉ１、Ｉ２、Ｉ３に来ることが防止される。よって、カム溝２９３、２９４の途中に保守穴２９９を設けても、第一移動枠２０７および第二移動枠２０９の位置決め精度は維持される。
【００５７】
また、カム筒２０５においては、図中左側のカム溝２９３、２９４の右端近傍は、図中左から２番目のカム溝２９３、２９４の左端近傍と、カム筒２０５の周方向について長さＤ１にわたって重なって配される。また、図中右端に部分的に描かれたカム溝２９３、２９４の左端は、図中左から３番目のカム溝２９３、２９４の右端近傍と、カム筒２０５の周方向について長さＤ２にわたって重なって配される。
【００５８】
このように、カム筒２０５におけるカム溝２９３、２９４は、カム筒２０５端部の開口に連通する延長部を有していないので、カム筒２０５の周方向について重ねて配置できる。よって、周長が限られたカム筒２０５の周面を効率よく利用して、長いカムプロファイルを有するカム溝２９３、２９４を形成できる。
【００５９】
また、カムプロファイルを長くすることにより、カムプロファイルの傾斜を穏やかにして、ズーム環２０２の操作を円滑にできる。更に、レンズユニット２００のズームをモータライズする場合には、アクチュエータの負荷を軽くすることができるので、小型化、静音化にも寄与する。
【００６０】
また、更に、カム溝２９３、２９４は、いずれもカム筒２０５の端部に至ることなく閉じている。よって、長いカムプロファイルを形成しても、カム筒２０５の強度低下が抑制される。
【００６１】
図５は、カム筒２０５を部分的に拡大した展開図であり、図４に点線Ａで示した領域を示す。図４までと共通の要素には同じ参照番号を付して重複する説明を省く。
【００６２】
３本一組のカム溝２９３、２９４のうちの１本に着目した場合、カム溝２９３、２９４の各々のカムプロファイルは、変倍区間と沈胴区間とを含む。沈胴区間は、変倍区間の一端から延長した延長溝として形成される。
【００６３】
カム溝２９３、２９４の変倍区間においてカムピン２８３、２８４が駆動された場合、レンズユニット２００の光学系が変倍して一眼レフカメラ１００における撮影画角が変化する。換言すれば、カム溝２９３、２９４によるカムピン２８３、２８４の位置決め精度を変倍区間において高く維持することにより、レンズユニット２００の光軸性能を高く保ち、一眼レフカメラ１００による撮像品質を向上させることができる。
【００６４】
カム溝２９３、２９４の沈胴区間においてカムピン２８３、２８４が駆動された場合、レンズユニット２００は、光学系の機能を度外視して光軸Ｘの方向について短縮される。よって、カムピン２８３、２８４がカム溝２９３、２９４の沈胴区間により駆動されている場合は、カムピン２８３、２８４の位置決め精度が光学性能に影響しない。よって、保守穴２９９は、各カム溝２９３、２９４の沈胴区間に配されることが好ましい。
【００６５】
また、互いに異なる第一移動枠２０７および第二移動枠２０９を駆動するカム溝２９３、２９４においては、カム筒２０５の周方向について、保守穴２９９が同じ位置Ｉ３に配されてもよい。これにより、レンズユニット２００にカムピン２８３、２８４を組み込む場合に、カム筒２０５または第一移動枠２０７および第二移動枠２０９を回転させる回数を減らして、レンズユニット２００の生産性を向上させることができる。
【００６６】
以上、一眼レフカメラ１００を例にあげて説明したが、クイックリターンミラーを備えていないノンレフレックスカメラにおいても上記の構造を適用できる。更に、レンズユニット２００とカメラボディ３００が一体に形成されたカメラの他、カム機構により駆動する光学部材を備えた望遠鏡、測量器、顕微鏡等においても上記の構造を適用できる。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６８】
１００  一眼レフカメラ、２００  レンズユニット、２０１  固定筒、２０２  ズーム環、２０３  直進筒、２０４  先筒、２０５  カム筒、２０６  案内筒、２０７  第一移動枠、２０８  レンズ側マウント部、２０９  第二移動枠、２１０  第一レンズ群、２１２、２２２、２３２、２４２、２５２、２６２  レンズ保持枠、２２０  第二レンズ群、２３０  第三レンズ群、２４０  第四レンズ群、２５０  第五レンズ群、２６０  第六レンズ群、２７０  送りねじ組立体、２７２  ステッピングモータ、２７４  送りねじ、２７６  フレーム、２７８  ラック部材、２８１  リード部、２８２、２８３、２８４  カムピン、２８５  連結ピン、２８６  バヨネット爪、２８７  キー、２８８  直進溝、２９３、２９４  カム溝、２９９  保守穴、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ
【図１】
2014085476.tif 000003
【図２】
2014085476.tif 000004
【図３】
2014085476.tif 000005
【図４】
2014085476.tif 000006
【図５】
2014085476.tif 000007